【手続補正書】
【提出日】平成16年9月17日(2004.9.17)
【手続補正１】
【補正対象書類名】明細書
【補正対象項目名】特許請求の範囲
【補正方法】変更
【補正の内容】
【特許請求の範囲】
【請求項１】
感光体と、該感光体上のトナー像を少なくとも電界により直接或いは搬送ベルトを介して記録媒体としての用紙へ一括転写する転写手段を有する画像形成装置、又は、前記感光体上のトナー像を無端ベルト状中間転写体へ転写させる一次転写手段と前記無端ベルト状中間転写体上の一次転写されたトナー像を記録媒体としての用紙へ転写させる二次転写手段とを有する画像形成装置において、前記トナー像を記録媒体としての用紙へ転写する時に転写手段、一次転写手段又は二次転写手段に印加する電圧の極性と、前記トナー像を記録媒体としての用紙へ転写しない時に前記転写手段、一次転写手段又は二次転写手段に印加する電圧の極性とは逆にすることを特徴とする画像形成装置。
【請求項２】
感光体と、該感光体上のトナー像を少なくとも電界により無端ベルト状中間転写体へ転写する一次転写手段を有する画像形成装置において、トナー像を前記感光体から前記無端ベルト状中間転写体へ転写する時に一次転写手段に印加する電圧の極性と、トナー像を転写しない時に前記一次転写手段に印加する電圧の極性とは逆極性にすることを特徴とする画像形成装置。
【請求項３】
前記トナー像の転写時以外のタイミングで前記転写手段、一次転写手段又は二次転写手段に印加する逆バイアスは現像手段に印加するバイアス電源を用いたことを特徴とする請求項１又は２に記載の画像形成装置。
【請求項４】
前記転写手段又は一次転写手段は記録媒体としての用紙や無端ベルト状中間転写体を介して前記感光体とは反対側から該感光体へ押圧し、且つ電圧が印加されることを特徴とする請求項１〜３の何れか１項に記載の画像形成装置。
【請求項５】
前記転写手段、一次転写手段又は二次転写手段としての転写ローラは芯金表面に弾性ゴムをライニングした構成であり、抵抗値が１×１０3〜１×１０12Ωであることを特徴とする請求項１〜４の何れか１項に記載の画像形成装置。
【請求項６】
前記転写手段、一次転写手段又は二次転写手段は定電流制御される構成であることを特徴とする請求項１〜５の何れか１項に記載の画像形成装置。
【請求項７】
前記無端ベルト状中間転写体は、体積抵抗率が１×１０7〜１×１０11Ω・ｃｍであることを特徴とする請求項１〜６の何れか１項に記載の画像形成装置。
【請求項８】
使用されるトナーの個数平均粒子径が３〜８μｍであることを特徴とする請求項１〜７の何れか１項に記載の画像形成装置。
【請求項９】
前記感光体はドラム状であることを特徴とする請求項１〜８の何れか１項に記載の画像形成装置。
【請求項１０】
前記感光体上のトナー像は２成分現像剤を用いる現像手段により現像されることを特徴とする請求項１〜９の何れか１項に記載の画像形成装置。
【請求項１１】
前記二次転写手段としての二次転写ローラは、前記無端ベルト状中間転写体とそれを挟み込むようにしてバックアップローラを押圧する構成であり、そのバックアップローラの抵抗値が１×１０5〜１×１０7Ωであり、前記二次転写手段としての二次転写ローラの抵抗値が１×１０5〜１×１０7Ωであり定電流制御される構成であることを特徴とする請求項１に記載の画像形成装置。
【請求項１２】
前記画像形成装置に使用されるトナーは形状係数の変動係数が１６％以下であり、個数粒度分布における個数変動係数が２７％以下であることを特徴とする請求項１〜１１の何れか１項に記載の画像形成装置。
【請求項１３】
前記転写手段又は一次転写手段の位置は無端ベルト状中間転写体と感光体との接触開始点よりも無端ベルト状中間転写体の搬送方向下流側に位置することを特徴とする請求項１〜１２の何れか１項に記載の画像形成装置。
【手続補正２】
【補正対象書類名】明細書
【補正対象項目名】０００６
【補正方法】変更
【補正の内容】
【０００６】
【課題を解決するための手段】
この目的は次の技術手段（１）〜（１３）項の何れかによって達成される。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
（１）  感光体と、該感光体上のトナー像を少なくとも電界により直接或いは搬送ベルトを介して記録媒体としての用紙へ一括転写する転写手段を有する画像形成装置、又は、前記感光体上のトナー像を無端ベルト状中間転写体へ転写させる一次転写手段と前記無端ベルト状中間転写体上の一次転写されたトナー像を記録媒体としての用紙へ転写させる二次転写手段とを有する画像形成装置において、前記トナー像を記録媒体としての用紙へ転写する時に転写手段、一次転写手段又は二次転写手段に印加する電圧の極性と、前記トナー像を記録媒体としての用紙へ転写しない時に前記転写手段、一次転写手段又は二次転写手段に印加する電圧の極性とは逆にすることを特徴とする画像形成装置。
【手続補正６】
【補正対象書類名】明細書
【補正対象項目名】００１０
【補正方法】変更
【補正の内容】
【００１０】
（２）  感光体と、該感光体上のトナー像を少なくとも電界により無端ベルト状中間転写体へ転写する一次転写手段を有する画像形成装置において、トナー像を前記感光体から前記無端ベルト状中間転写体へ転写する時に一次転写手段に印加する電圧の極性と、トナー像を転写しない時に前記一次転写手段に印加する電圧の極性とは逆極性にすることを特徴とする画像形成装置。
【手続補正７】
【補正対象書類名】明細書
【補正対象項目名】００１１
【補正方法】変更
【補正の内容】
【００１１】
（３）  前記トナー像の転写時以外のタイミングで前記転写手段、一次転写手段又は二次転写手段に印加する逆バイアスは現像手段に印加するバイアス電源を用いたことを特徴とする（１）又は（２）項に記載の画像形成装置。
【手続補正８】
【補正対象書類名】明細書
【補正対象項目名】００１２
【補正方法】変更
【補正の内容】
【００１２】
（４）  前記転写手段又は一次転写手段は記録媒体としての用紙や無端ベルト状中間転写体を介して前記感光体とは反対側から該感光体へ押圧し、且つ電圧が印加されることを特徴とする（１）〜（３）項の何れか１項に記載の画像形成装置。
【手続補正９】
【補正対象書類名】明細書
【補正対象項目名】００１３
【補正方法】変更
【補正の内容】
【００１３】
（５）  前記転写手段、一次転写手段又は二次転写手段としての転写ローラは芯金表面に弾性ゴムをライニングした構成であり、抵抗値が１×１０3〜１×１０12Ωであることを特徴とする（１）〜（４）項の何れか１項に記載の画像形成装置。
【手続補正１０】
【補正対象書類名】明細書
【補正対象項目名】００１４
【補正方法】変更
【補正の内容】
【００１４】
（６）  前記転写手段、一次転写手段又は二次転写手段は定電流制御される構成であることを特徴とする（１）〜（５）項の何れか１項に記載の画像形成装置。
【手続補正１１】
【補正対象書類名】明細書
【補正対象項目名】００１５
【補正方法】変更
【補正の内容】
【００１５】
（７）  前記無端ベルト状中間転写体は、体積抵抗率が１×１０7〜１×１０11Ω・ｃｍであることを特徴とする（１）〜（６）項の何れか１項に記載の画像形成装置。
【手続補正１２】
【補正対象書類名】明細書
【補正対象項目名】００１６
【補正方法】変更
【補正の内容】
【００１６】
（８）  使用されるトナーの個数平均粒子径が３〜８μｍであることを特徴とする（１）〜（７）項の何れか１項に記載の画像形成装置。
【手続補正１３】
【補正対象書類名】明細書
【補正対象項目名】００１７
【補正方法】変更
【補正の内容】
【００１７】
（９）  前記感光体はドラム状であることを特徴とする（１）〜（８）項の何れか１項に記載の画像形成装置。
【手続補正１４】
【補正対象書類名】明細書
【補正対象項目名】００１８
【補正方法】変更
【補正の内容】
【００１８】
（１０）  前記感光体上のトナー像は２成分現像剤を用いる現像手段により現像されることを特徴とする（１）〜（９）項の何れか１項に記載の画像形成装置。
【手続補正１５】
【補正対象書類名】明細書
【補正対象項目名】００１９
【補正方法】変更
【補正の内容】
【００１９】
（１１）  前記二次転写手段としての二次転写ローラは、前記無端ベルト状中間転写体とそれを挟み込むようにしてバックアップローラを押圧する構成であり、そのバックアップローラの抵抗値が１×１０5〜１×１０7Ωであり、前記二次転写手段としての二次転写ローラの抵抗値が１×１０5〜１×１０7Ωであり定電流制御される構成であることを特徴とする（１）項に記載の画像形成装置。
【手続補正１６】
【補正対象書類名】明細書
【補正対象項目名】００２０
【補正方法】変更
【補正の内容】
【００２０】
（１２）  前記画像形成装置に使用されるトナーは形状係数の変動係数が１６％以下であり、個数粒度分布における個数変動係数が２７％以下であることを特徴とする（１）〜（１１）項の何れか１項に記載の画像形成装置。
【手続補正１７】
【補正対象書類名】明細書
【補正対象項目名】００２１
【補正方法】変更
【補正の内容】
【００２１】
（１３）  前記転写手段又は一次転写手段の位置は無端ベルト状中間転写体と感光体との接触開始点よりも無端ベルト状中間転写体の搬送方向下流側に位置することを特徴とする（１）〜（１２）項の何れか１項に記載の画像形成装置。
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】